(57)【要約】【課題】多数の丸太加工材をパネル状に連結して、しかも隣のパネルとの間に隙間ができないように連結する。【解決手段】木製化粧パネルは、間伐材を互いに直角な３面で製材して、残りのひとつの面を間伐材表面２Ａとしてなる複数本の丸太加工材２と、複数本の丸太加工材２を貫通して、間伐材表面２Ａが型枠の表面側となるように複数の丸太加工材２を互いに隙間なく同一面に平行に配列してパネル状に固定している貫通連結具３とからなる。この木製化粧パネルは、丸太加工材２をパネル状に連結しているパネル部裏面の周縁部分に沿って、釘７を打ち込むことができ、あるいはネジをねじ込むことができる連結枠６を裏面に突出して設けている。複数の木製化粧パネルを同一平面に並べるように配列する状態で、隣接する連結枠６を釘７やネジで連結して、隣接する木製化粧パネルを固定するようにしている。【選択図】　図１
0003097949.tif 000002
【実用新案登録請求の範囲】
【請求項１】
間伐材を互いに直角な３面で製材して、残りのひとつの面を間伐材表面（２Ａ）としてなる複数本の丸太加工材（２）と、複数本の丸太加工材（２）を貫通して、間伐材表面（２Ａ）が型枠の表面側となるように複数の丸太加工材（２）を互いに隙間なく同一面に平行に配列してパネル状に固定している貫通連結具（３）とからなり、
丸太加工材（２）をパネル状に連結しているパネル部裏面の周縁部分に沿って、釘（７）を打ち込むことができ、あるいはネジをねじ込むことができる連結枠（６）を裏面に突出して設けており、複数の木製化粧パネルを同一平面に並べるように配列する状態で、隣接する連結枠（６）を釘（７）やネジで連結して、隣接する木製化粧パネルを固定するようにしてなる木製化粧パネル。
【請求項２】
木製化粧パネルが、コンクリート構造物（１１）から脱型しない状態で使用される型枠である請求項１に記載される木製化粧パネル。
【請求項３】
木製化粧パネルが建物の壁パネルである請求項１に記載される木製化粧パネル。
【請求項４】
木製化粧パネルが看板である請求項１に記載される木製化粧パネル。
【請求項５】
丸太加工材（２）の太さが５〜１５ｃｍである請求項１に記載される木製化粧パネル。
【請求項６】
貫通連結具（３）が丸太加工材（２）を貫通する連結ネジ（３Ａ）である請求項１に記載される木製化粧パネル。
【請求項７】
連結枠（６）の突出高さが１〜５ｃｍである請求項１に記載される木製化粧パネル。
【請求項８】
連結枠（６）を釘止して丸太加工材（２）に連結している請求項１に記載される木製化粧パネル。
【考案の詳細な説明】
【０００１】
【考案の属する技術分野】
本考案は、間伐材を製材して製作される丸太加工材を平行に並べてパネル状に連結している木製化粧パネルに関する。とくに、本考案は、木製型枠に最適であって、型枠に使用してコンクリート構造物を構築し、その後、木製化粧パネルをコンクリート構造物から外すことなく残して、コンクリート構造物の表面を、木材でもって自然環境に適したようにカバーする木製化粧パネルに関する。
【０００２】
【従来の技術】
丸太加工材をパネル状に並べた木製化粧パネルを型枠として使用し、この型枠を構築されたコンクリート構造物から外すことなく化粧カバーとして使用する木製のパネルは、以下の文献に記載される。
【０００３】
【特許文献１】
実用新案登録第３０１５８４８号公報
【特許文献２】
特開平９−２１１３９号公報
【特許文献３】
特開２０００−２７３８８２号公報
【特許文献４】
特開２００１−３５５２４９公報
【０００４】
特許文献１の公報には、表面を除く裏面、上面及び下面を角柱状に加工した丸太加工材の数本を、表面を揃えてコンクリ−ト流止材を介して上下に接合し、その最上部の丸太加工材の上面から最下部の丸太加工材の下面へ鉄筋挿縦孔を丸太加工材の長さ方向所定間隔に貫設し、その上下接合された数本の丸太加工材の各裏面に密接させると共に、それらを上下から挟持するように上下部分を折り曲げてコ字形に形成し、且つその上下の折曲面に鉄筋挿縦孔に合致する貫通孔を設けた止金具を鉄筋挿縦孔と貫通孔とが連通状態において釘着して一体化した木製化粧パネルが記載される。この木製化粧パネルは、コンクリート構造物の構築に使用された後、脱型しないで、コンクリート構造物の表面をカバーするように使用される。
【０００５】
特許文献２の公報には、長手方向を横にした丸太加工材を上下に複数本連設してなる化粧型枠表部材と、丸太加工材に直交し、かつ化粧型枠表部材の上下から所定長さ突出するように、化粧型枠表部材の裏面に配設された連結部材と、丸太加工材を連結部材に締付け固定する固定部材とを具備する木製化粧パネルが記載される。
【０００６】
さらに、特許文献３と４の公報には、丸太加工材からなる複数の木製化粧パネルをコンクリート構造物の見付面に沿って併設固定してなり、コンクリート構造物の施工後においてもこの木製化粧パネルを化粧材としてそのまま残すようにする型枠であって、木製化粧パネルの外側面のうちの、隣接する型枠構成材に対向する略平行な１組の対向面の一方に嵌合溝部を形成し、他方に、隣接する型枠構成材の嵌合溝部に凹凸嵌合する嵌合突部を形成し、嵌合溝部に嵌合突部を嵌合させて複数の型枠構成材を併設固定するとともに、複数の型枠構成材を併設固定した状態で、隣接する型枠構成材間のうちのコンクリートの打設空間側に、打設したコンクリートが侵入可能な溝部を形成した木製化粧パネルが記載される。
【０００７】
【考案が解決しようとする課題】
これ等の公報に記載される木製のパネルは、外さないコンクリート用の型枠に使用して、コンクリート構造物の表面を、天然の美しい木材でカバーできる。このため、コンクリート地肌では実現できない、自然環境にやさしい表面状態にできる。また、生コンクリートを打設するときには、型枠として使用し、コンクリートを硬化させた後は、従来の型枠のようにコンクリート構造物から外す必要がないので、施工手間を簡素化して、能率よく美しく施工できる特長がある。ただ、多数の丸太加工材を連結してパネル状としているので、丸太加工材の間と、隣の木製化粧パネルとの間に隙間ができる欠点がある。ここに隙間ができると、これをコンクリート型枠として使用するとき、裏面に打設される生コンクリートが漏れる弊害がある。とくに、打設される生コンクリートは、水分を含むので丸太加工材の間にできる隙間や、隣の木製化粧パネルとの間にできる隙間から漏れやすい。漏れた生コンクリートは、木製化粧パネルの表面を汚して、天然木の美しさを失わせる。また、漏れて木製化粧パネルの表面に付着する生コンクリートは、硬化すると剥離するのが極めて難しい。コンクリート構造物から外す型枠は、多少の生コンクリートの漏れは問題とはならない。型枠を外すので漏れた生コンクリートがコンクリート構造物の表面を汚さないからである。しかしながら、コンクリート構造物から外さない木製化粧パネルは、漏れた生コンクリートが構築された法面等の表面を汚すので、漏れない構造とすることが特に大切である。
【０００８】
コンクリート型枠に限らず、たとえば建物の壁に使用される壁パネルに使用する場合も、丸太加工材や木製化粧パネルの間に隙間ができるのは決して好ましくない。それは、建物の壁に隙間ができると、外気が侵入し、また室内の空気が屋外に漏れて冷暖房の効果が低下するからである。また、建物に限らず、複数の木製化粧パネルを連結して使用するあらゆる用途において、丸太加工材や木製化粧パネルの間に隙間ができるのは好ましくない。
【０００９】
ところが、丸太加工材からなる木製化粧パネルは、１枚の合板や金属板で製作される型枠等に比較して、隙間ができるのを阻止するのが難しい。天然木である多数の丸太加工材をパネル状に連結しているので、丸太加工材の間に隙間ができ、また、木製化粧パネルの間に隙間ができるからである。丸太加工材は天然の木材であるから、合板や金属板とは比較にならないほど、歪や狂いが生じやすい。とくに、水分を吸収したり、あるいは乾燥されると狂いやすい物性がある。各々の丸太加工材が違う状態で変形するので、丸太加工材の間に隙間ができ、また、木製化粧パネルの間に隙間ができる。丸太加工材の間にできる隙間は、丸太加工材を貫通する貫通連結具でしっかりと緊締して少なくできる。難しいのは木製化粧パネルの間にできる隙間である。この間に隙間ができるのは、各々の丸太加工材がばらばらに変形するために、パネル状にしている外周の形状が狂うからである。また、製造工程においても、すべての丸太加工材を完全に同じ長さに切断することはできない。長さに誤差がある複数の丸太加工材を連結すると、両側面に凹凸ができる。側面に凹凸のある木製化粧パネルは、隣の木製化粧パネルを連結すると隙間ができる。また、凹凸はランダムにできるので、互いに凹凸のある木製化粧パネルを連結すると、相当な隙間ができる。このため、丸太加工材を連結している木製化粧パネルは、互いに連結する状態で隙間ができるのを防止するのが極めて難しく、この隙間から生コンクリートが漏れて表面を汚す欠点がある。
【００１０】
本考案は、この欠点を解決することを目的に開発されたものである。本考案の重要な目的は、多数の丸太加工材をパネル状に連結しているにもかかわらず、隣のパネルとの間に隙間ができないように連結できる木製化粧パネルを提供することにある。
【００１１】
【課題を解決するための手段】
本考案の請求項１の木製化粧パネルは、間伐材を互いに直角な３面で製材して、残りのひとつの面を間伐材表面２Ａとしてなる複数本の丸太加工材２と、複数本の丸太加工材２を貫通して、間伐材表面２Ａが型枠の表面側となるように複数の丸太加工材２を互いに隙間なく同一面に平行に配列してパネル状に固定している貫通連結具３とからなる。この木製化粧パネルは、丸太加工材２をパネル状に連結しているパネル部裏面の周縁部分に沿って、釘７を打ち込むことができ、あるいはネジをねじ込むことができる連結枠６を裏面に突出して設けている。複数の木製化粧パネルを同一平面に並べるように配列する状態で、隣接する連結枠６を釘７やネジで連結して、隣接する木製化粧パネルを固定するようにしている。
【００１２】
木製化粧パネルは、コンクリート構造物１１から脱型しない状態で使用する型枠とすることができる。木製化粧パネルは、建物の壁パネルとすることができる。木製化粧パネルは、看板とすることができる。
【００１３】
丸太加工材２の太さは、５〜１５ｃｍとすることができる。貫通連結具３は、丸太加工材２を貫通する連結ネジ３Ａとすることができる。連結枠６の突出高さは、１〜５ｃｍとすることができる。連結枠６は、釘止して丸太加工材２に連結することができる。
【００１４】
【考案の実施の形態】
以下、本考案の実施例を図面に基づいて説明する。ただし、以下に示す実施例は、本考案の技術思想を具体化するための木製化粧パネルとこの木製化粧パネルを使用する法面の補強工法を例示するものであって、本考案は木製化粧パネルと法面１０の補強方法を下記のものに特定しない。
【００１５】
さらに、この明細書は、実用新案登録請求の範囲を理解し易いように、実施例に示される部材に対応する番号を、「実用新案登録請求の範囲の欄」、および「課題を解決するための手段の欄」に示される部材に付記している。ただ、実用新案登録請求の範囲に示される部材を、実施例の部材に特定するものでは決してない。
【００１６】
図１ないし図５に示す木製化粧パネル１は、木製型枠として使用され、あるいは建物の壁に使用される壁パネルとして使用され、あるいはまた看板として使用され、さらにその他の種々の用途に使用される。木製型枠として使用される木製化粧パネル１は、法面等と対向して固定されて、裏面に生コンクリートを打設してコンクリート構造物を構築する型枠として使用される。さらに、この木製型枠として使用される木製化粧パネル１は、生コンクリートを硬化させた後、これをコンクリート構造物から外すことなく、構築されるコンクリート構造物の表面に固定されて、コンクリート構造物の表面をカバーするカバー材として使用される。建物の壁パネルに使用される木製化粧パネルは、柱の外側に固定されて建物の外壁として使用され、柱の室内側に固定されて内装パネルとなる。
【００１７】
図の木製化粧パネル１は、複数本の丸太加工材２を貫通連結具３でパネル状に連結している。丸太加工材２は、間伐材を互いに直角な３面で製材して、残りのひとつの面を間伐材表面２Ａとしている。丸太加工材２は、図６の断面図に示すように、木製化粧パネル１の表面となる面を製材しないで丸太の表面として、直角な３面を鋸で切断して製材している。丸太表面は、間伐材の皮を除去した面、あるいは皮を残した面で、間伐材の丸みのある面である。木製型枠や建物躯体の壁に使用する木製化粧パネル１の丸太加工材２は、太さを１０ｃｍとし、建物の内装パネルや看板に使用する木製化粧パネルの丸太加工材は、太さを５ｃｍとする。丸太加工材２の太さは、用途により、たとえば２〜１５ｃｍ、好ましくは３〜１２ｃｍとすることができる。丸太加工材２を太くして木製化粧パネル１の強度を向上できる。太い丸太加工材２を制作するには、太い間伐材を使用するが、太さが１０ｃｍ以下である丸太加工材２は、有効な用途の少ない間伐材を有効に利用して安価に製作できる。図の丸太加工材２は、図において上下方向と左右方向の幅を同じ幅としているが、上下と左右の幅を異なる幅とすることもできる。丸太加工材２の長さは、木製化粧パネル１の幅を特定する。木製化粧パネル１は、幅を９０〜２００ｃｍとする。この木製化粧パネル１の丸太加工材２は、全長を９０〜２００ｃｍとする。ただし、木製化粧パネルは、幅を４５〜２００ｃｍとすることもできる。また、幅の異なる木製化粧パネルを複数枚組み合わせて連結することもできる。たとえば１００ｃｍ幅と２００ｃｍ幅の木製化粧パネルをさ使用して、千鳥の形状に複数の木製化粧パネルを連結することもできる。また、木製型枠に使用する木製化粧パネルは、法面に固定する領域の形状によっては、幅の異なる木製化粧パネルを使用して、種々の形状の法面と対向して木製化粧パネルを固定できる。したがって、本考案の木製化粧パネルは、幅と丸太加工材の長さを特定しない。
【００１８】
木製化粧パネル１の上下方向の幅、すなわち使用状態における高さは、５０ｃｍとする。ただし、木製化粧パネルの高さは、３０ｃｍ〜１００ｃｍとすることもできる。木製化粧パネルの幅は、連結する丸太加工材２の数と、丸太加工材２の太さで調整する。
【００１９】
貫通連結具３は、丸太加工材２を貫通する連結ネジ３Ａである。図２〜図４の木製化粧パネル１は、丸太加工材２を複数の貫通連結具３で連結している。丸太加工材２は、貫通連結具３を挿通するために、上下に貫通する貫通孔４を設けている。この貫通孔４に貫通連結具３を挿通して丸太加工材２に連結している。木製化粧パネル１の上下に配置される丸太加工材２は、連結ネジ３Ａの頭と、連結ネジ３Ａにねじ込むナット３Ｂとを入れて、これらが丸太加工材２から突出しないように、凹部５を設けている。上の丸太加工材２は上面に、下の丸太加工材２は下面に凹部５を設けている。この貫通連結具３は、丸太加工材２に設けた貫通孔４に連結ネジ３Ａを挿通し、連結ネジ３Ａにナット３Ｂをねじ込んで丸太加工材２を締め付けて連結する。ただし、本考案の木製化粧パネルは、貫通連結具を連結ネジに特定せず、丸太加工材に挿通して連結できるすべてのものを使用できる。
【００２０】
木製化粧パネル１は、図２と図３の斜視図に示すように、丸太加工材２をパネル状に連結している裏面の周縁部分に沿って連結枠６を固定している。図の連結枠６は木製の角材で、木製化粧パネル１の裏面から突出するように固定している。連結枠６は、釘やネジでしっかりと連結でき、かつ簡単に連結できるように、その突出高さと幅を３ｃｍとしている。ただし、連結枠の突出高さと幅は、１〜５ｃｍとすることもできる。また、木製化粧パネルの下縁と上縁に設ける連結枠は、丸太加工材と一体構造とすることもできる。この丸太加工材は、間伐材を連結枠を設けた形状に製材して製作される。この丸太加工材は、しっかりと外れないように連結枠を固定できる。
【００２１】
連結枠６は、その外周面が丸太加工材２をパネル状に連結しているパネル部の外周面に一致し、あるいは、パネル部の外周面からわずかに突出している。連結枠６を連結して、隣の木製化粧パネル１を隙間なく連結するためである。連結枠６は、図７と図８の断面図に示すように、ここに釘７を打ち込み、あるいはネジ（図示せず）をねじ込んで、隣接する木製化粧パネル１を連結する。したがって、連結枠６は、釘７を打ち込むことができ、あるいはネジをねじ込むことができる木やプラスチック等で制作される。連結枠６は、釘７やネジを介して丸太加工材２に固定され、あいは、接着して丸太加工材２に固定され、あるいはまた、接着すると共に、釘７やネジで固定される。この連結枠６は、複数枚の木製化粧パネル１を同一平面に並べるように配列する状態で、隣接する連結枠６に釘７を打ち込み、あるいはネジをねじ込んで互いに連結されて、隣接する木製化粧パネルを隙間なく固定する。
【００２２】
木製型枠に使用される木製化粧パネル１は、図９に示すように、セパレータ８を介して法面１０などに対向して固定されて、法面１０と木製化粧パネル１との間に生コンクリートを打設してコンクリート構造物を設ける。セパレータ８は、図１の断面図と図１０の拡大断面図に示すように、貫通連結具３に連結される。セパレータ８は、先端に貫通孔８Ａを設けており、この貫通孔８Ａに貫通連結具３を挿通して、貫通連結具３に連結される。このセパレータ８は、丸太加工材２の間から貫通連結具３に連結される。したがって、丸太加工材２は、セパレータ８を入れる部分に切欠部９を設けている。図３と図５に示す木製化粧パネル１は、４ヶ所にセパレータ８を連結する切欠部９を設けている。セパレータ８を連結する切欠部９は、木製化粧パネル１の複数ヶ所に設けられる。木製化粧パネル１をセパレータ８でもって法面１０にしっかりと特定の姿勢で固定するためである。複数の木製化粧パネル１は、連結枠６を釘７やネジで連結して縦横に連結され、さらにセパレータ８を介して法面１０に連結される。
【００２３】
木製型枠として使用される木製化粧パネル１は、図１１の図１２に示すように、法面１０に固定されて、法面１０を補強する。この工法は、以下の工程で法面１０を補強する。
（１）　法面１０と対向し、法面１０との間に生コンクリートを打設する隙間ができるように、最下段の木製化粧パネル１を横に並べて、複数の木製化粧パネル１を法面１０と所定の間隔で固定する。横に並べている木製化粧パネル１は、縦の連結枠６を釘止し、あるいはネジ止して、横に隣接する木製化粧パネルとの間に隙間ができないように互いに連結される。釘７やネジは、図７の断面図に示すように、一方の木製化粧パネル１の連結枠６から他方の木製化粧パネル１の連結枠６に挿通されて、隣接する木製化粧パネル１をしっかりと連結する。さらに、木製化粧パネル１は、セパレータ８を介して法面１０に連結して固定される。セパレータ８は、一端を木製化粧パネル１の貫通連結具３に連結して、他端を法面１０に連結して固定している。
【００２４】
（２）　最下段の木製化粧パネル１と法面１０との間に生コンクリートを打設する。このとき、生コンクリートは、木製化粧パネル１の上縁よりもわずか低く、あるいは木製化粧パネル１の上縁と同じレベルで打設される。
【００２５】
（３）　その後、下から２段目の木製化粧パネル１を最下段の木製化粧パネル１に固定する。２段目の木製化粧パネル１は、下縁の連結枠６を、図８に示すように、最下段の木製化粧パネル１の上縁の連結枠６に釘７等で連結し、左右の連結枠６を、図７に示すように、互いに隣の木製化粧パネル１の連結枠６に釘７等で連結する。さらに、セパレータ８を介して法面１０に固定する。
【００２６】
（４）　その後、２段目の木製化粧パネル１と法面１０との間に生コンクリートを打設する。
以後、同じようにして、下段の木製化粧パネル１の上に上段の木製化粧パネル１を連結し、木製化粧パネル１をセパレータ８で法面１０に固定した後、木製化粧パネル１と法面１０との間に生コンクリートを打設して、所定の高さと幅に木製化粧パネル１とコンクリート構造物１１を構築する。
【００２７】
（５）　生コンクリートが硬化してコンクリート構造物１１となる。コンクリート構造物１１の表面は、生コンクリートが硬化した後も外さない木製化粧パネル１でカバーされる。木製化粧パネル１は、セパレータ８を介して法面１０に固定され、さらにセパレータ８がコンクリート構造物１１に埋設されて、コンクリート構造物１１にしっかりと固定される。
【００２８】
建物の壁パネルに使用される木製化粧パネル１は、図１３〜図１５の示すように、柱１２に固定される。外壁に使用される木製化粧パネル１は、柱１２の外側に固定され、内装パネルに使用される木製化粧パネル１は、柱１２の室内側に固定される。図１３の木製化粧パネル１は、柱１２の間で隣接する木製化粧パネル１を連結している。隣接する木製化粧パネル１は、隣接する木製化粧パネル１に固定している連結枠６に釘７を打ち込み、あるいはネジをねじ込み、あるいはまたネジを貫通させてネジとナットで締め付けて連結する。
【００２９】
図１４の木製化粧パネルは、柱１２の側面に連結枠６を固定している。この取付構造は、連結枠６に釘７やネジを挿通して、隣接して配置している木製化粧パネル１の連結枠６を柱１２に固定できる。したがって、木製化粧パネル１を連結すると共に、木製化粧パネル１を柱１２に固定できる。
【００３０】
図１５の木製化粧パネル１は、連結枠６を釘７やネジで連結している木製化粧パネル１を柱１２の表面に固定している。この取付構造は、隣接する木製化粧パネル１を互いに連結して柱１２に固定し、あるいは一方の木製化粧パネルを柱に固定し、柱に固定している木製化粧パネルに隣の木製化粧パネルを連結する。木製化粧パネル１は、連結枠６を釘７やネジで連結して互いに連結される。
【００３１】
図１６は、看板に使用される木製化粧パネル１を示す。この木製化粧パネル１は、上下の木製化粧パネル１の連結枠６を釘７やネジで連結して木製化粧パネル１を連結し、木製化粧パネル１の背面に支柱１３を固定している。
【００３２】
【考案の効果】
本考案の木製化粧パネルは、多数の丸太加工材をパネル状に連結しているにもかかわらず、隣のパネルとの間に隙間ができないように連結できる特長がある。それは、本考案の木製化粧パネルが、複数本の丸太加工材を互いに隙間なく配列して貫通連結具でパネル状に固定すると共に、裏面の周縁部分に沿って連結枠を裏面に突出して設けており、複数の木製化粧パネルを同一平面に並べるように配列する状態で、隣接する連結枠を釘やネジで連結して固定できるようにしているからである。この構造の木製化粧パネルは、隣接する連結枠を釘やネジで連結して固定するので、隣接するパネルを互いに連結する状態で、これらの境界部分に隙間ができるのを極減できる。
【００３３】
とくに、本考案の請求項２の木製化粧パネルは、コンクリート構造物から脱型しない状態で使用される型枠として使用するので、隣のパネルとの間に隙間ができるのを極減して、隙間から漏れる生コンクリートで表面を汚すのを有効に防止できる。
【００３４】
さらに、本考案の請求項３の木製化粧パネルは、建物の壁パネルとして使用するので、建物の壁に隙間ができるのを極減して、外気の侵入や、室内の空気が屋外に漏れることに起因する冷暖房の効果の低下を有効に防止できる。
【図面の簡単な説明】
【図１】本考案の一実施例にかかる木製化粧パネルの垂直断面図
【図２】図１に示す木製化粧パネルの斜視図
【図３】図２に示す木製化粧パネルの背面斜視図
【図４】図１に示す木製化粧パネルの正面図
【図５】図１に示す木製化粧パネルの背面図
【図６】原木の３面を切断して丸太加工材を製材する状態を示す概略図
【図７】左右に隣接する木製化粧パネルを連結する状態を示す水平拡大断面図
【図８】上下に隣接する木製化粧パネルを連結する状態を示す垂直拡大断面図
【図９】図１に示す木製化粧パネルを法面に固定する状態を示す垂直断面図
【図１０】木製化粧パネルとセパレータの連結構造を示す水平拡大断面図
【図１１】木製化粧パネルを法面に固定してコンクリート構造物を構築する状態を示す垂直断面図
【図１２】木製化粧パネルを法面に固定してコンクリート構造物を構築する状態を示す正面図
【図１３】木製化粧パネルを建物の壁パネルに使用する一例を示す水平断面図
【図１４】木製化粧パネルを建物の壁パネルに使用する他の一例を示す水平断面図
【図１５】木製化粧パネルを建物の壁パネルに使用する他の一例を示す水平断面図
【図１６】木製化粧パネルを看板に使用する状態を示す側面図
【符号の説明】
１…木製化粧パネル
２…丸太加工材　　　　　２Ａ…間伐材表面
３…貫通連結具　　　　　３Ａ…連結ネジ　　　　　３Ｂ…ナット
４…貫通孔
５…凹部
６…連結枠
７…釘
８…セパレータ　　　　　８Ａ…貫通孔
９…切欠部
１０…法面
１１…コンクリート構造物
１２…柱
１３…支柱
【図１】
0003097949.tif 000003
【図２】
0003097949.tif 000004
【図３】
0003097949.tif 000005
【図４】
0003097949.tif 000006
【図５】
0003097949.tif 000007
【図６】
0003097949.tif 000008
【図７】
0003097949.tif 000009
【図８】
0003097949.tif 000010
【図９】
0003097949.tif 000011
【図１０】
0003097949.tif 000012
【図１１】
0003097949.tif 000013
【図１２】
0003097949.tif 000014
【図１３】
0003097949.tif 000015
【図１４】
0003097949.tif 000016
【図１５】
0003097949.tif 000017
【図１６】
0003097949.tif 000018